(57)【特許請求の範囲】
【請求項１】
文字板上に形成されたシフト段意匠の直下、且つ、シフトインジケータ用光源の直上に配置される導光板であって、
前記シフト段意匠が形成された範囲にのみ対応する形状の平面部と、
前記平面部の側面に設けられて、前記シフト段意匠以外の前記文字板上の意匠を照明するための文字板意匠用光源からの直接光を採光する採光部と、
を有し、前記文字板意匠用光源側の前記採光部が、前記文字板の背面側に重積された拡散板の側面から前記文字板意匠用光源の光を反射する反射面まで位置し、且つ、当該採光部が、前記拡散板の側面のテーパー形状に沿い且つ前記文字意匠用光源に対向するように傾斜面状に形成されて、当該採光部近傍が他の部位及び前記拡散板よりも肉厚になっていることを特徴とするシフトインジケータ用導光板。
【請求項２】
請求項１記載のシフトインジケータ用導光板を用いた車載計器であって、
前記シフトインジケータ用光源を収容する筒状の光源収容部と、
前記文字板意匠用光源からの光を前記文字板の背面に向けて反射させる反射面と、
を有することを特徴とする車載計器。
【請求項３】
請求項２記載の車載計器において、
前記文字板の前方に覆設される黒色スモーク系の表ガラス、
を有することを特徴とする車載計器。
【発明の詳細な説明】
【技術分野】
【０００１】
本発明は、オートマチック車両等のシフトインジケータ用導光板及びこれを用いた車載計器に関する。
【背景技術】
【０００２】
近年、自動変速機を備えた、いわゆる、オートマチック車両が普及している。オートマチック車両は、周知のように、チェンジレバーのシフト段を示すシフトインジケータを含む計器を搭載している。
【０００３】
図４は、シフトインジケータを含む従来の車載計器の一部を示す正面図である。図５は、図４の車載計器におけるＺＺ線断面図である。図４に示すように、この車載計器は、速度計、回転計等が一体化されたコンビネーションメータである。この種の車載計器は、本体ケース９に内蔵される図示しないムーブメントにより、所定の計測値に応じて指針９５を回転させて、指針９５により文字板９３上に形成されたエンジン回転数等に対応する所定の文字板意匠９３ｂを指示する。文字板９３の前方には、車載計器をブラックフェース化して高級感を与えるために、黒色スモーク系の表ガラス９４が覆設されている。
【０００４】
また、文字板９３上には、「Ｐ」、「Ｒ」、「Ｎ」、「Ｄ」、「２」、「Ｌ」等で示される、シフト段意匠９３ａも形成されている。シフト段意匠９３ａの直下には、図５に示すように、各意匠「Ｐ」、「Ｒ」、「Ｎ」、「Ｄ」、「２」、「Ｌ」にそれぞれ対応するシフトインジケータ用光源９０が配置されている。各シフトインジケータ用光源９０はそれぞれ、筒状の光源収容部９１で仕切られている。各光源収容部９１の開口部にはそれぞれ、各意匠「Ｐ」、「Ｒ」、「Ｎ」、「Ｄ」、「２」、「Ｌ」に応じた有色透過板９２が覆設されている。
【０００５】
更に、文字板９３の背面に重積された導光板９６により、図示しない導光板光源からの光が導かれて、上記文字板意匠９３ｂやシフト段意匠９３ａが照明されるようになっている。文字板意匠９３ｂについて補足すると、現シフト段に応じて点灯したシフトインジケータ用光源９０により、各意匠「Ｐ」、「Ｒ」、「Ｎ」、「Ｄ」、「２」、「Ｌ」に対応する有色透過板９２のいずれかが照明されるが、現シフト段以外のシフト段意匠９３ａは、導光板光源からの光により照明されるようになっている。なお、このような構成の従来の車載計器は、下記特許文献１にも示されている。
【特許文献１】実開平４−４２２９号公報
【発明の開示】
【発明が解決しようとする課題】
【０００６】
ところが、上記従来の車載計器においては、導光板９６は、文字板意匠９３ｂやシフト段意匠９３ａを含む、文字板９３上の全ての意匠を照明するために、横長状の文字板９３と同等の平面形状を有している。したがって、図示しない導光板光源からの光が、シフト段意匠９３ａに十分に供給されない場合がある。特に、ブラックフェース化のために、上記黒色スモーク系の表ガラス９４が覆設されている場合には、従来の車載計器においては、シフト段意匠９３ａの輝度が不足しがちになり、その視認性が悪化することがある。
【０００７】
よって本発明は、上述した現状に鑑み、シフト段意匠の視認性を大幅に向上させることができるシフトインジケータ用導光板及びこれを用いた車載計器を提供することを課題とする。
【課題を解決するための手段】
【０００８】
上記課題を解決するためになされた請求項１記載のシフトインジケータ用導光板は、文字板上に形成されたシフト段意匠の直下、且つ、シフトインジケータ用光源の直上に配置される導光板であって、前記シフト段意匠が形成された範囲にのみ対応する形状の平面部と、前記平面部の側面に設けられて、前記シフト段意匠以外の前記文字板上の意匠を照明するための文字板意匠用光源からの直接光を採光する採光部と、を有し、前記文字板意匠用光源側の前記採光部が、前記文字板の背面側に重積された拡散板の側面から前記文字板意匠用光源の光を反射する反射面まで位置し、且つ、当該採光部が、前記拡散板の側面のテーパー形状に沿い且つ前記文字意匠用光源に対向するように傾斜面状に形成されて、当該採光部近傍が他の部位及び前記拡散板よりも肉厚になっていることを特徴とする。
【０００９】
請求項１記載の発明によれば、平面部の側面に設けられた採光部により、シフト段意匠以外の文字板上の意匠を照明するための文字板意匠用光源からの直接光が採光され、この光が、シフト段意匠が形成された範囲にのみ対応する形状の平面部に導かれる。このように、文字板意匠用光源からの直接光を採光したうえに、シフト段意匠が形成された範囲にのみ対応する形状の平面部によってシフト段意匠を照明するようにしているので、シフト段意匠の輝度を大幅に向上させることができる。勿論、現シフト段に対してはそれぞれ、直下に配置されるシフトインジケータ用光源により十分な輝度を与えることができる。
【００１１】
また、採光部は文字板意匠用光源に対向するように傾斜面状に形成されているので、より効率的に文字板意匠用光源からの光を採光することができ、シフト段意匠の輝度をより向上させることができる。また、拡散板のシフトインジケータ用導光板に隣接する側面はテーパ状に角取りされているので、漏れ光を軽減させることができる。
【００１２】
上記課題を解決するためになされた請求項２記載の車載計器は、請求項１記載のシフトインジケータ用導光板を用いた車載計器であって、前記シフトインジケータ用光源を収容する筒状の光源収容部と、前記文字板意匠用光源からの光を前記文字板の背面に向けて反射させる反射面と、を有することを特徴とする。
【００１３】
請求項２記載の発明によれば、シフトインジケータ用光源を収容する筒状の光源収容部によって、現シフト段をより明るく照明することができる。また、文字板意匠用光源からの光を文字板の背面に向けて反射させる反射面によって、文字板意匠をより明るく照明することができる。
【００１４】
上記課題を解決するためになされた請求項３記載の車載計器は、請求項２記載の車載計器において、前記文字板の前方に覆設される黒色スモーク系の表ガラス、を有することを特徴とする。
【００１５】
請求項３記載の発明によれば、上記文字板意匠及びシフト段意匠の輝度の向上によって、ブラックフェース化された車載計器においても、各意匠に対して十分な輝度を与えることができる。
【発明の効果】
【００１８】
請求項１記載の発明によれば、平面部の側面に設けられた採光部により、シフト段意匠以外の文字板上の意匠を照明するための文字板意匠用光源からの直接光が採光され、この光が、シフト段意匠が形成された範囲にのみ対応する形状の平面部に導かれる。このように、文字板意匠用光源からの直接光を採光したうえに、シフト段意匠が形成された範囲にのみ対応する形状の平面部によってシフト段意匠を照明するようにしているので、シフト段意匠の輝度を大幅に向上させることができる。勿論、現シフト段に対してはそれぞれ、直下に配置されるシフトインジケータ用光源により十分な輝度を与えることができる。さらに、文字板意匠用光源側の採光部近傍が他の部位よりも肉厚になっているので、効率的に文字板意匠用光源からの光を採光することができる。したがって、シフト段意匠の視認性を大幅に向上させることができる。
【００１９】
また、採光部は文字板意匠用光源に対向するように傾斜面状に形成されているので、より効率的に文字板意匠用光源からの光を採光することができ、シフト段意匠の輝度をより向上させることができる。したがって、シフト段意匠の視認性をより向上させることができる。また、拡散板のシフトインジケータ用導光板に隣接する側面はテーパ状に角取りされているので、漏れ光を軽減させることができる。したがって、より高級感があり且つ視認性がよい車載計器を提供することができる。
【００２０】
請求項２記載の発明によれば、シフトインジケータ用光源を収容する筒状の光源収容部によって、現シフト段をより明るく照明することができる。また、文字板意匠用光源からの光を文字板の背面に向けて反射させる反射面によって、文字板意匠をより明るく照明することができる。また、シフトインジケータ用導光板により、上述のようにシフト段意匠の輝度も大幅に向上する。したがって、非常に視認性のよい車載計器を提供することができる。
【００２１】
請求項３記載の発明によれば、上記文字板意匠及びシフト段意匠の輝度の向上によって、ブラックフェース化された車載計器においても、各意匠に対して十分な輝度を与えることができる。したがって、高級感があり且つ視認性がよい車載計器を提供することができる。
【発明を実施するための最良の形態】
【００２３】
以下、本発明の実施の形態を図面に基づいて説明する。図１は、本発明の一実施形態に係るシフトインジケータ用導光板及びこれを用いた車載計器の一部を示す斜視図である。図２は、図１に対応する平面図である。但し、図２は、文字板を取り外した状態を示している。図３は、図２のＸＸ線断面図である。
【００２４】
図１に示すように、この車載計器は、例えば、速度計、回転計等が一体化されたコンビネーションメータである。この車載計器は横長の箱形をしており、本体ケース１、シフトインジケータ用導光板２、文字板３、基板４（図３参照）、拡散板５（図３参照）、図示しない裏カバー、見返し、表ガラス等を含んで構成される。
【００２５】
本体ケース１は、例えば、白色の樹脂製であり、横長の浅皿形状をしている。この本体ケース１は、図１〜図３に示すように、エンジン回転計や速度計に対応して略半円状に掘り下げられたような形状をしている。その底面部１２には、文字板意匠３２等を照明するための複数の文字板意匠用光源５１が配置されている（正確には、文字板意匠用光源５１は基板４上に搭載されている）。また、底面部１２の中央部には、指針の回転軸５３に対応する円孔１５が穿設され、その下方部には、液晶表示器のバックライト用光源を収容する光源収容部１６が設けられている。更に、底面部１２の周縁からは、外側に向けて徐々に広がるように傾斜した反射面１３が連設されている。
【００２６】
反射面１３の上縁の一部は、シフトインジケータ用導光板２を収容する導光板収容部１１に繋がるために直線的に切り欠かかれている。導光板収容部１１は、シフトインジケータ用導光板２の形状に対応して、浅皿状に掘り下げられた斧のような形状になっている。この導光板収容部１１の底面部には、シフト段「Ｐ」、「Ｒ」、「Ｎ」、「Ｄ」、「３」、「２」に対応するシフトインジケータ用光源をそれぞれ収容する光源収容部１１ａ〜１１ｆが連設されている。光源収容部１１ａ〜１１ｆは同形状をしており、図３に示すような筒状の断面形状をしている。また、導光板収容部１１の底面部には、シフトインジケータ用導光板２の位置決め突起２ｇが挿通される、位置決め孔１１ｇも穿設されている。
【００２７】
なお、本体ケース１には、各種ワーニング用光源をそれぞれ収容する光源収容部１４や燃料計や水温計の指針の回転軸に対応する円孔１５も設けられている。
【００２８】
シフトインジケータ用導光板２は、例えば、透明の導光性のある樹脂製であり、図１〜図３に示すように、一辺が円弧で構成された斧のような形状をしており、導光板収容部１１に収容されて、文字板３上に形成されたシフト段意匠３ａ〜３ｆの直下に配置される。シフトインジケータ用導光板２は、シフト段意匠３ａ〜３ｆが形成された範囲にのみ対応する形状の平面部を有する。この平面部は、詳しくは、シフト段「Ｐ」、「Ｒ」、「Ｎ」、「Ｄ」、「３」、「２」にそれぞれ対応する平面各部２ａ〜２ｆから構成されている。特に、平面各部２ａの下面には、位置決め突起２ｇが突設されている。
【００２９】
また、シフトインジケータ用導光板２の平面部の側面には、文字板意匠用光源５１からの直接光を採光する採光部２１が設けられている。採光部２１は、文字板意匠用光源５１（近接する光源）に対向するように傾斜面状に形成されている。また、これにともなって、採光部２１近傍は、他の部位よりも肉厚になっている。これらにより、効率的に文字板意匠用光源５１からの光を採光することができるようになる。
【００３０】
文字板３は、例えば、透明生地のシート状のポリカーボネイト製であり、図１及び図３に示すように、エンジン回転計、燃料計、水温計等に関する目盛りやマーク、ウインカ、ワーニング等を示す文字板意匠３２が形成されている。また、シフト段「Ｐ」、「Ｒ」、「Ｎ」、「Ｄ」、「３」、「２」にそれぞれ対応する記号を示すシフト段意匠３ａ〜３ｆが形成されている。文字板３は、これら意匠を中抜きにして黒色印刷されている。特に、シフト段意匠３ａ〜３ｆに関しては、例えば、シフト段「Ｒ」を橙色の中抜き、これ以外を緑色の中抜きにしている。また、文字板３には、エンジン回転計、燃料計、水温計等の各指針の指針軸に対応する円孔３５や、オド／トリップメータ用の液晶表示器の形状に対応する矩形状の窓３６が穿設されている。
【００３１】
また、図３に示す基板４には、文字板意匠用光源５１、シフト段意匠用光源５２、上記各指針を回転させる図示しないムーブメント、各種電子回路類が搭載されている。また、図３に示す拡散板５は、文字板意匠３２を効率的に照明するために、文字板３の背面側に重積されて、文字板意匠用光源５１からの光を拡散させるための樹脂製のシートである。特に、シフトインジケータ用導光板２に隣接する拡散板５の側面は、漏れ光を軽減させるために、テーパ状に角取りされている。
【００３２】
更に、この車載計器には、周知のように、図示しない、樹脂製の裏カバーや見返し、表ガラス等も含まれている。特に、表ガラスは、文字板３の前方に覆設されて、文字板３や指針を保護すると共に、車載計器をブラックフェース化して高級感を与えるのに役立つ。
【００３３】
このような構成の車載計器及びシフトインジケータ用導光板の作用及び効果について、図３を用いて説明する。例えば、エンジンキーのアクセサリポジションへの切り替えやランプスイッチのオン等のような所定のトリガーに応答して、文字板意匠用光源５１が点灯する。そうすると、文字板意匠用光源５１からの光は、拡散板５によって拡散されて、文字板３の背面に到達する。また、文字板意匠用光源５１からの光の一部は、反射面１３によって拡散板５に向けて反射された後、拡散板５によって拡散されて、文字板３の背面に到達する。これらにより、文字板３上に形成された各文字板意匠３２が、効率的に照明される。
【００３４】
また、文字板意匠用光源５１からの直接光は、図３のＲ１で示すように、シフトインジケータ用導光板２の採光部２１によって採光され、この光が導光板２の平面部に導かれる。そうすると、この光に基づき、シフト段意匠３ａ〜３ｆは全て背面から照明される。すなわち、採光部２１によって文字板意匠用光源５１からの直接光を採光したうえに、シフト段意匠３ａ〜３ｆが形成された範囲にのみ対応する形状（従来例は文字板と同等の平面形状）の平面部によってシフト段意匠３ａ〜３ｆを照明するようにしているので、シフト段意匠３ａ〜３ｆの輝度を大幅に向上させることができる。
【００３５】
一方、シフトレバーの切替操作に応答して、全シフト段「Ｐ」、「Ｒ」、「Ｎ」、「Ｄ」、「３」、「２」のうちで、現シフト段（例えば、「Ｄ」）に対応するシフト段意匠用光源５２が点灯する。そうすると、図３のＲ２で示すように、シフト段意匠用光源５２からの光は、筒状の収容部１１ｃを上方に進行し、シフトインジケータ用導光板２を透過して、シフト段「Ｄ」に対応するシフト段意匠３ｃのみを緑色で照明する。他のシフト段についても同様である。このようにして、現シフト段が視認される。
【００３６】
以上説明したように、本発明の実施形態によれば、シフト段意匠３ａ〜３ｆの視認性を大幅に向上させることができる。また、シフト段意匠３ａ〜３ｆ以外の意匠に対しても十分な輝度を与えることができる。したがって、車載計器の視認性を大幅に向上させることができる。更に、各意匠に対して十分な輝度を与えることができるので、ブラックフェース化された車載計器に対して好適となり、この結果、高級感があり且つ視認性がよい車載計器を提供することができる。
【００３７】
なお、上記実施形態のシフトインジケータ用導光板は車載計器に適用されることを想定しているが、本発明のシフトインジケータ用導光板は車載されない計器にも適用可能である。また、本発明のシフトインジケータ用導光板はブラックフェース化された車載計器に対して好適であるが、ブラックフェース化されない車載計器に対して適用しても視認性向上の効果を与えることができる。更に、シフト段意匠は、実施形態で例示したデザインのみならず、図４のようなデザインであってもよい。
【図面の簡単な説明】
【００３８】
【図１】本発明の一実施形態に係るシフトインジケータ用導光板及びこれを用いた車載計器の一部を示す斜視図である。
【図２】図１に対応する平面図である。
【図３】図２のＸＸ線断面図である。
【図４】シフトインジケータを含む従来の車載計器の一部を示す正面図である。
【図５】図４の車載計器におけるＺＺ線断面図である。
【符号の説明】
【００３９】
１  本体ケース
２  シフトインジケータ用導光板
３  文字板
３ａ〜３ｆ  シフト段意匠
４  基板
５  拡散板
１１導光板収容部
１１ａ〜１１ｆ  光源収容部
５１  文字板意匠用光源
５２  シフト段意匠用光源
【図１】
0004778205.tif 000002
【図２】
0004778205.tif 000003
【図３】
0004778205.tif 000004
【図４】
0004778205.tif 000005
【図５】
0004778205.tif 000006